(57)【要約】【課題】  内蔵されている精密な機器に浸水しないよう洗浄に耐え得る十分な防水性を有する映像表示装置及びこれを有する内視鏡装置を提供すること。【解決手段】  画像を表示する表示画面３２と、表示画面３２を当接する第１の開口部３１Ａを備えた筐体３１と、第１の開口部３１Ａに対向する位置に設けられた第２の開口部３１Ｂを覆う蓋部材３３と、蓋部材３３と当接し、表示画面３２を第１の開口部３１Ａに対して付勢する付勢部材３４と、を備えることを特徴とする。【選択図】  図４
2005192739.tif 000002
【特許請求の範囲】
【請求項１】
画像を表示する表示画面と、
該表示画面を当接する第１の開口部を備えた筐体と、
前記第１の開口部に対向する位置に設けられた第２の開口部を覆う蓋部材と、
該蓋部材と当接し、前記表示画面を前記第１の開口部に対して付勢する付勢部材と、
を備えることを特徴とする映像表示装置。
【請求項２】
被検体の体腔内に挿入可能な挿入部と、
該挿入部の先端部に設けられた対物レンズと、
該対物レンズから得られる前記被検体の体腔内の観察像を撮像する撮像手段と、
該撮像手段からの撮像信号を映像信号に変換する映像処理手段と、
請求項１に記載の映像表示装置と、
を備えることを特徴とする内視鏡装置。
【請求項３】
前記筐体の第１の開口部に設けられ、前記表示画面をカバーする表示画面カバーを備えることを特徴とする請求項２に記載の内視鏡装置。
【発明の詳細な説明】
【技術分野】
【０００１】
本発明は、映像表示装置に関し、特にこの映像表示装置が一体になって携帯に適した内視鏡装置に関する。
【背景技術】
【０００２】
医療分野や工業分野で広く用いられている内視鏡装置には、接眼部にあたる部分にケーブルを介して据え置き型のテレビモニタを接続し、内視鏡で得た像をＣＣＤなどの撮像素子の受光部に結像させ、結像させた像を信号に変換し、信号に変換した像を離れた位置にあるテレビモニタにケーブルを介して供給し、その画面上に映像化して表示させるようにしたものがある。
また、内視鏡に、光源装置と、小型の液晶モニタなどの映像表示装置と、光源や撮像素子、液晶モニタを駆動するバッテリとを搭載した内視鏡装置が提案されている（例えば、特許文献１参照）。
【特許文献１】特開平１１−９５４８号公報（図１）
【発明の開示】
【発明が解決しようとする課題】
【０００３】
上記従来の映像表示装置において、例えば体腔内の検査を行った場合、内視鏡装置に体液などが付着する虞があるので、検査後には必ず水や洗浄液を用いて洗浄する必要がある。
【０００４】
本発明は上記の事情に鑑みてなされたものであり、内蔵されている精密な機器に浸水しないよう洗浄に耐え得る十分な防水性を有する映像表示装置及びこれを有する内視鏡装置を提供することを目的としている。
【課題を解決するための手段】
【０００５】
上記の課題を解決するための手段として、次のような構成の内視鏡装置を採用する。
すなわち、本発明にかかる映像表示装置は、画像を表示する表示画面と、該表示画面を当接する第１の開口部を備えた筐体と、前記第１の開口部に対向する位置に設けられた第２の開口部を覆う蓋部材と、該蓋部材と当接し、前記表示画面を前記第１の開口部に対して付勢する付勢部材と、を備えることを特徴とする。
【０００６】
また、本発明にかかる内視鏡装置は、被検体の体腔内に挿入可能な挿入部と、該挿入部の先端部に設けられた対物レンズと、該対物レンズから得られる前記被検体の体腔内の観察像を撮像する撮像手段と、該撮像手段からの撮像信号を映像信号に変換する映像処理手段と、上記記載の映像表示装置と、を備えることを特徴とする。
【０００７】
この発明にかかる映像表示装置及びこれを備えた内視鏡装置では、表示画面及び付勢部材を筐体に内蔵したときに、表示画面が付勢部材によって第１の開口部に押し当てられる。この状態で、例えば映像表示装置を洗浄液に浸すなどすると、表示画面に対して外部から圧力が加わる。しかし、表示画面が付勢部材によってこの圧力を相殺するように押し返され、表示画面の変形が防止され、第１の開口部から筐体内部に水や洗浄液などが侵入することが抑制されるから、筐体内部の気密性が保たれる。したがって、洗浄に耐え得る防水性を有することが可能となる。
【０００８】
また、本発明にかかる内視鏡装置は、前記筐体の第１の開口部に設けられ、前記表示画面をカバーする表示画面カバーを備えることが好ましい。
【０００９】
この発明にかかる内視鏡装置では、第１の開口部に設けられた表示画面カバーによって、表示画面が第１の開口部から筐体の外部に露出しなくなる。したがって、防水性をより高めることができる。
【発明の効果】
【００１０】
本発明の映像表示装置及びこれを備えた内視鏡装置によれば、付勢部材が表示画面を筐体外部に向かって付勢することにより、表示画面が第１の開口部に押し当てられるようにすることで、映像表示装置を洗浄しても筐体内部の気密性が保たれる。したがって、洗浄に耐え得る防水性を有することが可能となる。
【発明を実施するための最良の形態】
【００１１】
本発明の一実施形態を図１から図４に示して説明する。
図１から図４に示す本実施形態の内視鏡装置は、内視鏡１と、被写体を照らす照明光を発する光源装置２と、内視鏡１で得た被写体の像を映像化して表示する映像表示装置（映像表示装置）３とを主要な構成要素として備えている。
内視鏡１は、先端を観察部位に挿入される挿入部１１と、挿入部１１の先端を湾曲操作するための操作部１２とを備えている。また、内視鏡１には、後述するイメージガイド１１ｂによって導かれた像（光）を受光するＣＣＤ等の撮像素子（撮像手段）４と、撮像素子４の受光部に結像する集光レンズ４ａとが設けられている。挿入部１１は、可撓性を有する細長い形状で、操作部１２の一端に接続されており、先端に位置する硬質な先端部１６と、先端部１６に連続して設けられた湾曲部１７と、湾曲部１７に連続して設けられて操作部１２に接続された可撓部１８とを備えている。先端部１６には、照明光に照らされた被写体からの反射光による像を結像する対物レンズ１９と、照明光を出射する照明窓１６ａとが設けられている。湾曲部１７および可撓部１８には、光源装置２から先端部１６に照明光を導くライトガイド１１ａと、対物レンズ１９に結像された像を撮像素子４に導くイメージガイド１１ｂとが内蔵されている。なお、撮像素子４は、図に示すように映像表示装置３に近い位置に設けられる場合と、後述する先端部１６に設けられる場合とがある。
【００１２】
操作部１２は、術者が内視鏡１を把持するための把持部１０と、挿入部１１に通された２本のワイヤ１１ｃを介して湾曲部１７を所望の方向に湾曲させるための湾曲操作レバー２０とを備えている。把持部１０は、棒状で親指とその他の指とで包み込むように握ることができる形に形成されている。把持部１０には、体液等の液体を吸引するための吸引口金１３と、鉗子等の処置具を挿入するための鉗子挿入口１４と、内視鏡１の水漏れ検査時に内視鏡１内部に空気を送るための通気口金１５とが設けられている。吸引口金１３には、図示しないチューブを介して吸引装置が接続されるようになっており、吸引装置を作動させることにより吸引口金１３を通じて体液等を吸引することができるようになっている。通気口金１５には、図示しないチューブを介して給気装置が接続されるようになっており、給気装置を作動させることにより通気口金１５から内視鏡１に空気を送り込み、内視鏡１内部の水漏れ検査を行うことができるようになっている。また、操作部１２には、映像表示装置３に表示されている映像を後述する画像記録装置４５に記録させる画像記録スイッチ４５ｂが設けられている。
【００１３】
湾曲操作レバー２０は、把持部１０を握った手の親指で操作できるように把持部１０に隣接して設けられている。湾曲操作レバー２０は、把持部１０を掴んだ親指の腹で操作される先端部２０ａと、先端部２０ａの一端に繋がる基端部２０ｂとからなるＬ字形で、操作部１２に設けられた軸１２ａに基端部２０ｂを軸支されて上下に揺動可能に支持されている。湾曲操作レバー２０は、先端部２０ａを親指で上下に押し引きすることでいずれか一方のワイヤ１１ｃに張力を、他方のワイヤ１１ｃに推力を作用させて湾曲部１７を自在に湾曲させることができるようになっている。
【００１４】
光源装置２は、光源ランプ２１と、術者が任意に光源ランプ２１を点灯／滅灯させるための手許スイッチ２２と、光源ランプ２１が発した照明光を集光する集光レンズ２３とを備えている。また、光源装置２には、後述する給電ケーブル６を着脱可能に接続されるコネクタ２ａが設けられている。光源ランプ２１、手許スイッチ２２およびコネクタ２ａは、光源装置２に内蔵された給電ライン２ｂによって直列に接続されている。
光源ランプ２１が発した照明光は、集光レンズ２３によって集光され、ライトガイド１１ａに導かれて照明窓１６ａから出射され、体腔内を照明するようになっている。
【００１５】
映像表示装置３は、操作部１２他端に着脱可能に取り付けられている。この映像表示装置３は、ほぼ直方体形状を有する筐体３１と、この筐体３１の一面に形成された第１の開口部３１Ａに当接する表示画面３２と、第１の開口部３１Ａに対向する面に形成された第２の開口部３１Ｂを覆う蓋部材３３と、この蓋部材３３と当接して表示画面３２を第１の開口部３１Ａに付勢する付勢部材３４とを備えている。
【００１６】
筐体３１には、第１の開口部３１Ａの周囲にフランジ部３１Ｃが形成されており、透光性材料で形成された表示画面カバー３５が接着剤により接着固定されている。
表示画面３２は、被写体の観察像を映像化して表示させるＬＣＤなどによって構成される表示素子４１と、表示素子４１の表面を保護する表示素子カバー４２とで構成されている。
蓋部材３３には、第２の開口部３１Ｂを覆った時の内面側に樹脂製のパッド４３が設けられている。そして、蓋部材３３を筐体３１の第２の開口部３１Ｂの周囲に接着剤を用いて接着固定した際に、パッド４３が第２の開口部３１Ｂを覆ったときに筐体３１に内蔵されている付勢部材３４を付勢し、付勢部材３４が表示画面３２を付勢するような構成とされている。
【００１７】
付勢部材３４は、被写体の像を記録する画像記録装置４５と、撮像素子４で撮像された被写体の像を信号化して出力する撮像素子制御回路４６と、撮像素子制御回路４６から出力された信号を映像化して表示素子４１に表示させる表示素子制御回路（映像処理手段）４７とを備えている。
また、筐体３１の内部には、繰り返し充電して使用することができる二次電池であり、光源装置２、撮像素子４、映像表示装置３の各部に電力を供給するバッテリ５が、交換可能に内蔵されている。また、映像表示装置３には、起動スイッチ４９が設けられている。
【００１８】
内視鏡１の上部にはブラケット１ｂが設けられ、映像表示装置３の下部にもブラケット３ａが設けられており、これら２つのブラケット１ｂ，３ａは、締め付け用のネジ８によって締結されている。映像表示装置３は、ネジ８を緩めることにより画面の向きを湾曲操作レバー２０側に傾斜させることができ、可動範囲内の所望の位置でネジ８を締めることにより固定することができるようになっている。
【００１９】
映像表示装置３と光源装置２とは、後述する給電ライン２１ａを内包する給電ケーブル６を介して接続されている。映像表示装置３と内視鏡１とは、後述する給電ライン４ｂおよび通信ラインＳ１を内包する集合ケーブル７を介して接続されている。給電ケーブル６および集合ケーブル７は、いずれも映像表示装置３側に固定され、先端にはそれぞれコネクタ６ａ，７ａが設けられている。コネクタ６ａは光源装置２のコネクタ２ａに着脱可能に接続され、コネクタ７ａは内視鏡１のコネクタ１ａに着脱可能に接続されるようになっている。
【００２０】
撮像素子４とバッテリ５との間には、撮像素子４に電力を供給する給電ライン４ｂが設けられ、光源装置２とバッテリ５との間には、光源ランプ２１に電力を供給する給電ライン２１ａが設けられている。同様に、表示素子４１とバッテリ５との間には、表示素子４に電力を供給する給電ライン４１ａが設けられ、画像記録装置４５とバッテリ５との間には、画像記録装置４５に電力を供給する給電ライン４５ａが設けられている。また、撮像素子制御回路４６とバッテリ５との間には、撮像素子制御回路４６に電力を供給する給電ライン４６ａが設けられ、表示素子制御回路４７とバッテリ５との間には表示素子制御回路４７に電力を供給する給電ライン４７ａが設けられている。
【００２１】
撮像素子４と撮像素子制御回路４６との間には、撮像素子４で取得された映像信号を撮像素子制御回路４６に伝送する信号ラインＳ１が設けられ、撮像素子制御回路４６と表示素子制御回路４７との間には、撮像素子制御回路４６に入力された映像信号を表示素子制御回路４７に伝送する信号ラインＳ２が設けられ、表示素子制御回路４７と表示素子４１との間には、表示素子制御回路４７に入力された映像信号を表示素子３１に入力する信号ラインＳ３が設けられている。
【００２２】
上記のように構成された映像表示装置及び内視鏡装置においては、例えば映像表示装置３を洗浄液に浸すなどすることで表示画面３２に対して外部から圧力が加わった場合、表示画面３２が付勢部材３３によってこの圧力を相殺するように押し返され、表示画面３２の変形が防止されるので、筐体３１内部の気密性が保たれる。したがって、洗浄に耐え得る防水性を有することが可能となる。
また、表示画面３２は第１の開口部３１Ａが表示画面カバー３５によって覆われることで、筐体３１の外部に露出されることがないので、より防水性を高めることができる。
【００２３】
なお、本発明は上記実施形態に限定されるものではなく、本発明の趣旨を逸脱しない範囲において種々の変更を加えることが可能である。
例えば、上記実施形態において、撮像素子４が内視鏡１側に設けられ、撮像素子制御回路４６、表示素子制御回路４７、表示素子４１、バッテリ５などの主要な構成要素が映像表示装置３側に設けられた構造の内視鏡装置について説明したが、本発明の内視鏡装置は上記構造の内視鏡装置に限らず、例えば図５に示すように、撮像素子４も含めて上記主要な構成要素が映像表示装置３側に設けられた構造の内視鏡装置に適用することも可能であり、図６に示すように、内視鏡１、光源装置２及び映像表示装置３が一体となった構造の内視鏡装置に適用することも可能である。
【産業上の利用可能性】
【００２４】
本発明の内視鏡装置は、上記のような医療用だけでなく工業用にも好適に利用することが可能である。
【００２５】
（付記項１）  被写体の像を撮像する撮像素子を備える内視鏡と、前記被写体を照らす照明光を発する光源装置と、前記内視鏡で得た前記被写体の像を映像化して表示する映像表示装置とを一体的に構成した内視鏡装置であって、前記映像表示装置の筐体に設けられた開口の周囲が、前記筐体の内側に配置される前記映像表示装置の内蔵物によって外側に向けて付勢されていることを特徴とする内視鏡装置。
【００２６】
この内視鏡装置によれば、内蔵物が筐体に設けられた開口の周囲を外部に向けて付勢する。この状態で、例えば映像表示装置を洗浄液に浸すなどすると、内蔵物に対して圧力が加わる。しかし、内蔵物がこの圧力を相殺するように押し返し、筐体内部に水や洗浄液が侵入することを抑制されるから、筐体内部の気密性が保たれる。したがって、洗浄に耐え得る防水性を有することが可能となる。
【００２７】
（付記項２）  前記開口が前記映像表示装置の画面を合わせる部分であって、前記開口には透明なカバーが重ねあわされて周囲を隙間なく接着されていることを特徴とする付記項１に記載の内視鏡装置。
【００２８】
この内視鏡装置によれば、開口の周囲が透明なカバーによって隙間なく接着されていることによって、内蔵物が筐体外に露出されることがなくなるので、より防水性を向上させることができる。
【図面の簡単な説明】
【００２９】
【図１】本発明にかかる一実施形態における内視鏡装置の斜視図である。
【図２】本発明にかかる一実施形態における内視鏡装置を図１とは異なる方向から見た斜視図である。
【図３】本発明にかかる一実施形態における内視鏡装置の内部構造を示す概略図である。
【図４】本発明にかかる一実施形態における映像表示装置の断面図である。
【図５】本発明にかかる一実施形態以外の、本発明を適用可能な内視鏡装置の内部構造を示す概略図である。
【図６】同じく、本発明にかかる一実施形態以外の、本発明を適用可能な内視鏡装置の内部構造を示す概略図である。
【符号の説明】
【００３０】
１  表示画面
３  映像表示装置
４  撮像素子（撮像手段）
１１  挿入部
１６  先端部
１９  対物レンズ
３１  筐体
３１Ａ  第１の開口部
３１Ｂ  第２の開口部
３３  蓋部材
３４  付勢部材
３５  表示画面カバー
４７  表示素子制御回路（映像処理手段）
【図１】
2005192739.tif 000003
【図２】
2005192739.tif 000004
【図３】
2005192739.tif 000005
【図４】
2005192739.tif 000006
【図５】
2005192739.tif 000007
【図６】
2005192739.tif 000008